(57)【要約】【課題】  画像形成装置で送信する画像データに付加される電子化されたコードデータ情報の第一データに送信先情報を記録する。【解決手段】  コードに埋め込まれているデータの順番を入れ替える。【選択図】  図１
2011055354.tif 000002
【特許請求の範囲】
【請求項１】
画像データを読み取る読み取り手段（１４０）と、
前記読み取り手段により読み取られた画像データに含まれている規定サイズのコード化されたデータを抽出する抽出手段（Ｓ１０１）と、
抽出したデータの順番を変更する変更手段（Ｓ１０６）と
抽出したデータが所望のデータでなかった場合、所望のデータを入力する入力手段（Ｓ１０５．４、Ｓ１０９、１８０）と
を有する事を特徴とする画像形成装置。
【発明の詳細な説明】
【技術分野】
【０００１】
本発明は、コードを扱うことができる画像形成装置に関するものである。より詳細には、コードとして含める情報の順番を入れ替えて、画像データの送信を行える装置に関するものである。
【背景技術】
【０００２】
画像データをファクシミリ装置等の画像送受信装置を用いて送信するとき、宛先番号の入力を間違うと、誤送信が発生し情報漏洩等の問題が発生する。それを防止するために、特許文献１では、送信先に番号を付加しコードデータとして原稿画像に埋め込んでおき、その情報を受信したら、受信したコードデータから送信先リストを生成する。そして、そのリストを生成した画像送受信装置でユーザが送信先を入力すると、そのリスト情報と比較して、送信許可、送信禁止を判定して誤送信を防止する技術が開示されている。
【先行技術文献】
【特許文献】
【０００３】
【特許文献１】特開２００７−３１１８５５号公報
【発明の概要】
【発明が解決しようとする課題】
【０００４】
しかしながら、原稿画像に埋め込まれたコードデータから生成されたリストにない宛先には、画像データを送信できない問題があった。また、画像データ受信者が、画像データ送信者に対し、画像データをファクシミリ等で返信する場合、ユーザが送信先の宛先情報を入力しなければならず、手間がかかっていた。
【課題を解決するための手段】
【０００５】
上記課題を解決するために、本発明に係る装置は、
画像データを読み取る読み取り手段（１４０）と、
前記読み取り手段により読み取られた画像データに含まれている規定サイズのコード化されたデータを抽出する抽出手段（Ｓ１０１）と、
抽出したデータの順番を変更する変更手段（Ｓ１０６）と
抽出したデータが所望のデータでなかった場合、所望のデータを入力する
入力手段（Ｓ１０５．４、Ｓ１０９、１８０）とを有する事を特徴とする画像形成装置の構成を有する。
【発明の効果】
【０００６】
本発明における一実施例によれば、ファクシミリ等でデータを受信した者が送信者に返信する時に、送信先情報を設定することなく送信出来、且つ、誤送信を防止することが出来る。
【図面の簡単な説明】
【０００７】
【図１】実施例のフローチャートを示す図
【図２】図１の処理フローに従って、コード化された状態で送信原稿に付加されるユーザ情報を電子化したときの変化を示す図
【図３】本発明の画像形成装置２０７、および、２０８の構成及びコントローラユニット１００の構成を示す図
【図４】ユーザ情報の構成の一例を示した図
【発明を実施するための形態】
【０００８】
以下、本発明を実施するための最良の形態について図面を用いて説明する。
【実施例】
【０００９】
本実施例等（本実施例と、それ以外の実施例）は、（情報量的に）規定サイズの情報を含むことが可能な（面積的に）規定サイズのコード画像を対象とした場合について説明する。なお、そうした規定サイズのコード画像が、規定サイズ以下の情報を含むことが可能なことは言うまでもない。尚、本実施例等では、その規定サイズのコード画像には、２種類のユーザ情報データを含めることができるものとする。そして、前記ユーザ情報データ内のデータの一つを第一データ、残りを第二データと称する。なお、本実施例等においては、情報＝データである。そして、画像形成装置のスキャナ１４０で読み込んだコード画像の第一データに対し、画像データ送信を行うものとする。
【００１０】
画像形成装置にユーザがログインしようとしたとき、画像形成装置は、ログインユーザを特定する情報をデータサーバにアクセスして取得し、画像形成装置内の記憶手段１１３０に格納するものとする。この格納により、ログインが完了する。尚、データサーバは、図示していないが、画像形成装置と電気的に接続されるログイン管理サーバのことである。なお、ユーザを特定する情報のことを本実施例等ではユーザ情報と称する。例えば、ユーザＩＤやユーザの名前などがこのユーザ情報に含まれる。また、ユーザを間接的に特定する情報も、ユーザを特定する情報である。
【００１１】
図１は、画像形成装置を制御するＣＰＵ１１００が、画像形成装置のスキャナに送信原稿を読み込ませて原稿画像データを生成させた後に行う処理フローを示す。
【００１２】
ステップＳ１０１では、ＣＰＵが、上記原稿画像データに含まれているコード画像データを抽出する処理を行う。
【００１３】
ステップＳ１０２では、ステップＳ１０１で抽出したコード画像データを、ＣＰＵが復号化する。これにより、コード画像データに含まれるユーザ情報が得られる事になる。そして、この得られたユーザ情報を記憶手段に格納する
ステップＳ１０３では、ＣＰＵが、上記記憶手段から、ログインしたユーザ情報を取得する処理を行う。
【００１４】
ステップＳ１０４では、ＣＰＵが、ステップＳ１０２で復号化したコード画像データの第二データとステップＳ１０３で取得したログインしたユーザ情報を比較する処理を行う。ステップＳ１０４で、比較したデータが同じと判断した場合には、ステップＳ１０５に処理を移行する。ステップＳ１０４で、比較したデータが異なると判断した場合には、ステップＳ１１１に処理を移行する。
【００１５】
ステップＳ１０５では、ＣＰＵは、復号化したコード画像データの第一データとしてユーザ情報が含まれているか否かを判断する処理を行う。ステップＳ１０５で、第一データとしてユーザ情報が含まれていた場合、ステップＳ１０５．２に処理を移行する。ステップＳ１０５で、ユーザ情報が含まれていなかった場合、ステップＳ１０８に処理を移行する。
【００１６】
ステップＳ１０５．２では、ＣＰＵは、画像形成装置の操作部１８０に第一データのユーザ情報を表示さる。そして、送信先ユーザ情報として正しい情報か否かをユーザに入力させる。ユーザ入力において、送信先ユーザ情報として正しい情報との指示がユーザからあったら、ステップＳ１０６に処理を移行する。送信先ユーザ情報として正しくない情報との指示がユーザからあったら、ステップＳ１０５．４に処理を移行する。
【００１７】
ステップＳ１０５．４では、ＣＰＵは、送信原稿の送信先となる送信先ユーザ情報の入力を促す処理を行う。ここでは、ＣＰＵは、画像形成装置の操作部１８０に入力を促すメッセージを表示させる。そして、操作部１８０からの入力が終了したら、処理を終了する
ステップＳ１０５．６では、ＣＰＵは、コード画像データの第一データとして、ステップＳ１０５．４で入力された情報を前記記憶手段に格納する処理を行う。
【００１８】
ステップＳ１０６では、ＣＰＵは、コード画像データの第一データと第二データを記憶手段から読み出し、それらデータを入れ替えて前記記憶手段に格納する処理を行う。
【００１９】
ステップＳ１０７では、ＣＰＵは、コード画像データを生成する処理を行う。
【００２０】
ステップＳ１０８では、ＣＰＵは、ステップＳ１０３で記憶手段から取得したログインしたユーザ情報を、第一データとして前記記憶手段に格納する処理を行う。
【００２１】
ステップＳ１０９では、ＣＰＵは、送信原稿の送信先となる送信先ユーザ情報の入力を促す処理を行う。ここでは、ＣＰＵは、画像形成装置の操作部１８０に入力を促すメッセージを表示させる。そして、操作部１８０からの入力が終了したら、処理を終了する
ステップＳ１１０では、ＣＰＵは、コード画像データの第二データとして、ステップＳ１０９で入力された情報を前記記憶手段に格納する処理を行う。
【００２２】
ステップＳ１１１では、ステップＳ１０２で復号化したコード画像データの第一データとステップＳ１０３で取得したログインしたユーザ情報を比較する処理を行う。ステップＳ１１１で、比較したデータが同じと判断した場合には、ステップＳ１１２に処理を移行する。ステップＳ１１１で、比較したデータが異なると判断した場合には、ステップＳ１１３に処理を移行する。
【００２３】
ステップＳ１１２では、ＣＰＵは、画像形成装置の操作部１８０に第二データのユーザ情報を表示さる。そして、送信先ユーザ情報として正しい情報か否かをユーザに入力させる。ユーザ入力において、送信先ユーザ情報として正しい情報との指示がユーザからあったら、ステップＳ１０７に処理を移行する。送信先ユーザ情報として正しくない情報との指示がユーザからあったら、ステップＳ１０９に処理を移行する。
【００２４】
ステップＳ１１３では、ＣＰＵは、ステップＳ１０３で記憶手段から取得したログインしたユーザ情報を、第一データとして前記記憶手段に格納する処理を行う。
【００２５】
その後、ＣＰＵは、生成されたコード画像データを、送信原稿をスキャンして取り込んだ原稿画像データに合成する。合成する位置は、送信原稿のコード画像の位置と同じ場所とする。そして、合成により得られた画像データを、画像形成装置内のデータ送信手段を使って、データ送信する。
【００２６】
尚、この実施例では、送信原稿の第一データに記録されているユーザ情報に対して、データ送信を行うもとのする。従って、電子化された送信データのユーザ情報の第一データには、必ず、データ送信を実行したユーザの情報が格納される。そして、例えば、ＦＡＸでそれを受信したユーザは、送信者への返信が必要な場合、その原稿を画像形成装置にあるスキャナ１４０でデータを取り込むと、送信者へ、送信者の電話番号等を入力することなく、データ送信できる。
【００２７】
図２は、図１の処理フローに従って、コード化された状態で送信原稿に付加されるユーザ情報を電子化したときの変化を示す図である。
【００２８】
送信原稿２０１には、コード化されたユーザ情報２０２が印刷されている。そして、コード化されたユーザ情報２０２の第一データ２０３として、ユーザＸ情報２０４が、第二データ２０５として、ユーザＹ情報２０６が記録されている。
【００２９】
ここで、ユーザＸが、送信原稿２０１を画像形成装置２０７でユーザＹに送信する場合、Ｓ１１１〜Ｓ１１２の順に処理が流れ、電子化されたコード画像データは、第一データと第二データの入れ替えは発生しない。
【００３０】
また、ユーザＹが、送信原稿２０１を画像形成装置２０８でユーザＸに送信する場合、Ｓ１０５〜Ｓ１０６の順に処理が流れ、電子化されたコード画像データは、第一データと第二データの入れ替えが実行される。
【００３１】
図３は、本発明の画像形成装置２０７、および、２０８の構成及びコントローラユニット１００の構成を示す図である。
【００３２】
コントローラユニット１００は画像入力デバイスであるスキャナ１４０や画像出力デバイスであるプリンタ１２０と接続し、一方ではＬＡＮ４０や公衆回線（ＷＡＮ）６０接続することで、画像情報やデバイス情報の入出力を行う為のコントローラである。
【００３３】
ＣＰＵ１１００はシステム全体を制御するコントローラである。ＲＡＭ１１１０はＣＰＵ１１００が動作するためのシステムワークメモリであり、画像データを一時記憶するための画像メモリでもある。ＲＯＭ１１２０はブートＲＯＭであり、システムのブートプログラムが格納されている。ＨＤＤ１１３０はハードディスクドライブで、システムソフトウェア（ｂｏｏｔａｂｌｅ）、画像データ、ソフトウェアカウンタ値などを格納する。システムソフトウェア（ｂｏｏｔａｂｌｅ）は、コピー・ＦＡＸ・ＳＥＮＤ・ＳＣＡＮ・操作部（ＵＩ）表示等の機能を実現するためのプログラムであり、ＲＡＭ１１１０上に展開されて動作する。ソフトウェアカウンタ値は用紙サイズ別カウンタ領域とデータ処理容量別カウンタ領域が設定されており、画像出力枚数やＣＰＵ１１００が処理したデータ容量に基づき予め設定した任意の基準容量値を基準に算出してカウントアップが行われる。カウンタ値はＨＤＤ１１３０に限らず電源が切れても記憶保持することができれば、図示しないＥＥＰＲＯＭ等にその記憶領域を持ってもよい。ＬＡＮＣ１２００はＬＡＮ４０に接続し、出力用画像データの入出力や機器制御にかかわる情報の入出力を行う。また操作部１８０における入力操作によってネットワーク上のホストＰＣ２０や図示しない出力用画像データ管理装置から操作部１８０による入力操作に応じた出力用画像データを受信して画像出力を行う。ローカルＩ／Ｆ１２１０はＵＳＢやセントロ等のローカルＩ／Ｆであり、ケーブル５０にてホストＰＣ３０や図示しないプリンタと接続し、データの入出力を行う。Ｍｏｄｅｍ１２２０は公衆回線６０に接続し、データの入出力を行う。プリンタＩ／Ｆ１３００は、プリンタ１２０と接続し、プリンタ１２０のＣＰＵとそれぞれ通信を行う。また、画像データの同期系／非同期系の変換を行う。スキャナＩ／Ｆ１４００は、スキャナ１４０と接続し、スキャナ１４０のＣＰＵとそれぞれ通信を行う。また、画像データの同期系／非同期系の変換を行う。操作部Ｉ／Ｆ１５００は操作部１８０とのインターフェース部で、操作部１８０の不図示のＬＣＤ表示部に表示する画像データを操作部１８０に対して出力する。
【００３４】
図４は、ユーザ情報の構成の一例を示した図である。
【００３５】
ユーザ情報は、第一データと第二データの２情報をもつ。そして、それぞれは、ユーザ名、ユーザ・メールアドレス、ユーザ連絡先をもち、第一データ、第二データとしてそれらが、ユーザ情報として記録される。
【００３６】
一方、上記３つの情報（ユーザ名、ユーザ・メールアドレス、ユーザ連絡先）に限らず、ユーザが使用した機器情報、ユーザが複写を実行した日付、複写回数など、用途に応じてユーザ情報を変更しても良い。
【図１】
2011055354.tif 000003
【図２】
2011055354.tif 000004
【図３】
2011055354.tif 000005
【図４】
2011055354.tif 000006